(57)【特許請求の範囲】
【請求項１】
建物躯体に固定された既設枠に取り付けられる建具であって、前記既設枠に固定される枠体と、前記枠体内に配置される扉体と、前記既設枠および前記枠体間に設置される隙間塞ぎ材とを備え、
前記枠体は、当該枠体の見込み方向に沿って配置される装着片部を有し、
前記装着片部の先端は、前記既設枠の室外面に対して間隔を隔てて対向して配置され、
前記隙間塞ぎ材は、前記装着片部に装着される装着基部と、軟質樹脂製の止水部と、軟質樹脂製のヒレ部とを有し、
前記装着基部は、前記止水部および前記ヒレ部よりも硬質な硬質樹脂製によって構成され、
前記装着基部は、互いに間隔を隔てて対向する第一片部および第二片部と、前記第一片部および前記第二片部を連結するベース部とを有し、前記第一片部、前記第二片部および前記ベース部によって枠体装着用の凹溝が形成され、
前記止水部は、前記ベース部のうち前記凹溝を形成する面とは反対側であって室内側に面する外面から延出し、
前記ヒレ部は、前記第一片部のうち前記凹溝を形成する面とは反対側の外面から前記枠体の見付け方向外側に延出し、
前記止水部は前記既設枠に当接するとともに、前記ヒレ部は前記建物躯体に当接する
ことを特徴とする建具。
【請求項２】
建物躯体に固定された既設枠に取り付けられる建具であって、前記既設枠に固定される枠体と、前記枠体内に配置される扉体と、前記既設枠および前記枠体間に設置される隙間塞ぎ材とを備え、
前記枠体は、当該枠体の見付け方向に沿って配置される装着片部を有し、
前記隙間塞ぎ材は、前記装着片部に装着される装着基部と、軟質樹脂製の止水部と、軟質樹脂製のヒレ部とを有し、
前記装着基部は、前記止水部および前記ヒレ部よりも硬質な硬質樹脂製によって構成され、
前記装着基部は、互いに間隔を隔てて対向する第一片部および第二片部と、前記第一片部および前記第二片部を連結するベース部とを有し、前記第一片部、前記第二片部および前記ベース部によって枠体装着用の凹溝が形成され、
前記止水部は、前記ベース部のうち前記装着基部の第一片部に沿った部分に連続して形成され、
前記ヒレ部は、前記第一片部から室内側に延出し、
前記止水部は前記既設枠に当接するとともに、前記ヒレ部は前記建物躯体に当接する
ことを特徴とする建具。
【請求項３】
請求項１または請求項２に記載の建具において、
前記第一片部および前記第二片部のうちの少なくとも一方と前記ベース部との連続部分には、可撓性を有する可撓部が形成される
ことを特徴とする建具。
【請求項４】
請求項１から請求項３のいずれか一項に記載の建具において、
前記ヒレ部には、前記第一片部からの延出方向に沿って並んだ切込みが形成される
ことを特徴とする建具。
【発明の詳細な説明】
【技術分野】
【０００１】
本発明は、建物躯体の開口部に設置されるドアなどの建具に装着される隙間塞ぎ材を備えた建具に関する。
【背景技術】
【０００２】
従来、上下枠および左右の縦枠を有する開口部枠を建物躯体に取り付け、開口部枠および建物躯体間にコーキング部を施すことが知られている（特許文献１参照）。
コーキング部を構成するコーキング剤としては、一般に、シリコーン系、ポリウレタン系などの樹脂が用いられる湿式のものであり、このコーキング剤がコーキングガンによって開口部枠と建物躯体との間に充填される。
【先行技術文献】
【特許文献】
【０００３】
【特許文献１】特開２００２−０６１４５８号公報
【発明の概要】
【発明が解決しようとする課題】
【０００４】
ところで、改修工事において既設の開口部枠（既設枠）にドアなどの建具を取り付ける場合には新設する建具と既設枠および建物躯体との間をシールする必要があるが、前述した湿式のコーキング剤を用いると、当該コーキング剤が乾燥するまでの養生期間が必要となる。
また、建物躯体に建具を新設する場合であっても、高いシール性が要求されない箇所には養生期間を必要とせずに速やかにシールできることが望ましい。
【０００５】
本発明の目的は、養生期間を必要とせずに施工できる隙間塞ぎ材を備えた建具を提供することにある。
【課題を解決するための手段】
【０００６】
本発明の建具は、建物躯体に固定された既設枠に取り付けられる建具であって、前記既設枠に固定される枠体と、前記枠体内に配置される扉体と、前記既設枠および前記枠体間に設置される隙間塞ぎ材とを備え、前記枠体は、当該枠体の見込み方向に沿って配置される装着片部を有し、前記装着片部の先端は、前記既設枠の室外面に対して間隔を隔てて対向して配置され、前記隙間塞ぎ材は、前記装着片部に装着される装着基部と、軟質樹脂製の止水部と、軟質樹脂製のヒレ部とを有し、前記装着基部は、前記止水部および前記ヒレ部よりも硬質な硬質樹脂製によって構成され、前記装着基部は、互いに間隔を隔てて対向する第一片部および第二片部と、前記第一片部および前記第二片部を連結するベース部とを有し、前記第一片部、前記第二片部および前記ベース部によって枠体装着用の凹溝が形成され、前記止水部は、前記ベース部のうち前記凹溝を形成する面とは反対側であって室内側に面する外面から延出し、前記ヒレ部は、前記第一片部のうち前記凹溝を形成する面とは反対側の外面から前記枠体の見付け方向外側に延出し、前記止水部は前記既設枠に当接するとともに、前記ヒレ部は前記建物躯体に当接することを特徴とする。
本発明の建具によれば、隙間塞ぎ材の装着基部を装着片部に装着し、止水部を既設枠に押し当てて圧縮変形し、かつ、ヒレ部を建物躯体側に押し当てて撓ませることで、新設する建具と既設枠および建物躯体側との間をシールでき、養生期間を必要とせずに隙間塞ぎ材を施工できる。
【０００７】
本発明の建具は、建物躯体に固定された既設枠に取り付けられる建具であって、前記既設枠に固定される枠体と、前記枠体内に配置される扉体と、前記既設枠および前記枠体間に設置される隙間塞ぎ材とを備え、前記枠体は、当該枠体の見付け方向に沿って配置される装着片部を有し、前記隙間塞ぎ材は、前記装着片部に装着される装着基部と、軟質樹脂製の止水部と、軟質樹脂製のヒレ部とを有し、前記装着基部は、前記止水部および前記ヒレ部よりも硬質な硬質樹脂製によって構成され、前記装着基部は、互いに間隔を隔てて対向する第一片部および第二片部と、前記第一片部および前記第二片部を連結するベース部とを有し、前記第一片部、前記第二片部および前記ベース部によって枠体装着用の凹溝が形成され、前記止水部は、前記ベース部のうち前記装着基部の第一片部に沿った部分に連続して形成され、前記ヒレ部は、前記第一片部から室内側に延出し、前記止水部は前記既設枠に当接するとともに、前記ヒレ部は前記建物躯体に当接することを特徴とする。
本発明の建具によれば、隙間塞ぎ材の装着基部を装着片部に装着し、止水部を既設枠に押し当てて圧縮変形し、かつ、ヒレ部を建物躯体側に押し当てて撓ませることで、新設する建具と既設枠および建物躯体側との間をシールでき、養生期間を必要とせずに隙間塞ぎ材を施工できる。
【０００８】
本発明の隙間塞ぎ材では、前記第一片部および前記第二片部のうちの少なくとも一方と前記ベース部との連続部分には、可撓性を有する可撓部が形成されることが好ましい。
このような構成によれば、可撓部を撓めることで、第一片部と第二片部とを離間して凹溝を開くことができ、枠体の装着片部に容易に装着できる。例えば、枠体の装着片部に両面テープ等の接着材が設けられている場合には、凹溝を開いて第二片部を装着片部に沿って配置し、続いて、凹溝を閉じながら第一片部を装着片部の接着剤に接着できる。
【０００９】
本発明の隙間塞ぎ材では、前記ヒレ部には、前記第一片部からの延出方向に沿って並んだ切込みが形成されることが好ましい。
このような構成によれば、切込みが形成された位置でヒレ部を簡単に折曲でき、隙間塞ぎ材が装着される建具の枠体とヒレ部を当てる建物躯体側との隙間幅に対応してシールできる。
【発明の効果】
【００１４】
本発明によれば、養生期間を必要とせずに施工できる隙間塞ぎ材を備えた建具を提供できる。
【図面の簡単な説明】
【００１５】
【図１】本発明の第１実施形態に係るドアを示す外観姿図。
【図２】第１実施形態に係るドアを示す縦断面図。
【図３】第１実施形態に係るドアを示す横断面図。
【図４】第１実施形態に係るドアの隙間塞ぎ材を示す説明図。
【図５】第１実施形態に係るドアの隙間塞ぎ材の装着手順を示す説明図。
【図６】本発明の第２実施形態に係るドアを示す縦断面図。
【図７】第２実施形態に係るドアを示す横断面図。
【図８】第２実施形態に係るドアの隙間塞ぎ材を示す説明図。
【発明を実施するための形態】
【００１６】
［第１実施形態の構成］
以下、本発明の実施形態を図面に基づいて説明する。
図１〜３において、本実施形態に係る建具であるドア１は、建物躯体２の開口部３に固定された既設枠４に取り付けられる改修用の玄関ドアである。ドア１は、既設枠４に固定される枠体であるドア枠５と、ドア枠５内に配置される扉体６とを備えている。ドア枠５は吊元側で丁番１２を介して扉体６を開閉可能に支持している。
【００１７】
既設枠４は、図２，３に示すように、既設上枠４１、既設下枠４２および左右の既設縦枠４３，４４を枠組みして構成されている。
既設上枠４１は、図２に示すように、室外見付け片部４１１と、見込み片部４１２と、室内見付け片部４１３とを有している。室外見付け片部４１１および室内見付け片部４１３の上端部は既設上枠４１の見込み方向に折曲されて折曲片部４１４，４１５が形成されている。折曲片部４１４，４１５が建物躯体２への取付部材４１６に掛けられている。また、室外見付け片部４１１側の折曲片部４１４と建物躯体２との間には、シリコーン系、ポリウレタン系などの樹脂からなる湿式のシール材４１７が施されている。
【００１８】
なお、既設下枠４２および既設縦枠４３，４４も既設上枠４１と同様の断面形状に形成されている。既設下枠４２の折曲片部４１４，４１５は、図２に示すように、既設下枠４２の室外見付け片部４１１および室内見付け片部４１３の下端部が折曲されて形成されており、既設縦枠４３の折曲片部４１４，４１５は、図３に示すように、既設縦枠４３の室外見付け片部４１１および室内見付け片部４１３の右側端部が折曲されて形成されており、既設縦枠４４の折曲片部４１４，４１５は、図３に示すように、既設縦枠４４の室外見付け片部４１１および室内見付け片部４１３の左側端部が折曲されて形成されている。
【００１９】
ドア枠５は、図１に示すように、金属製の上枠５１、下枠５２および左右の縦枠５３，５４を枠組みして構成されている。
上枠５１は、図２に示すように、見込み片部５１１と、見込み片部５１１の室外端に連続する室外見付け片部５１２と、室外見付け片部５１２の上端部から室内側に折曲された装着片部５１３とを有している。見込み片部５１１の中間部分には、溝部５１１Ａが形成されており、この溝部５１１Ａに気密材１０が装着されている。
上枠５１の見込み片部５１１は、ネジ１１によって既設上枠４１の見込み片部４１２に取り付けられている。上枠５１の既設上枠４１への取り付け状態では、上枠５１の装着片部５１３は上枠５１の見込み方向に沿って延びた状態で先端が既設上枠４１の室外見付け片部４１１と間隔を隔てて対向して配置される。
【００２０】
なお、下枠５２および縦枠５３，５４も上枠５１と同様の断面形状に形成されている。
下枠５２の見込み片部５１１は、図２に示すように、ネジ１１によって既設下枠４２の見込み片部４１２に取り付けられている。下枠５２の既設下枠４２への取り付け状態では、下枠５２の装着片部５１３は下枠５２の見込み方向に沿って延びた状態で先端が既設下枠４２の室外見付け片部４１１と間隔を隔てて対向して配置される。
図３において右側に示す縦枠５３の見込み片部５１１は、ネジ１１によって既設縦枠４３の見込み片部４１２に取り付けられている。縦枠５３の既設縦枠４３への取り付け状態では、縦枠５３の装着片部５１３は縦枠５３の見込み方向に沿って延びた状態で先端が既設縦枠４３の室外見付け片部４１１と間隔を隔てて対向して配置される。
図３において左側に示す縦枠５４の見込み片部５１１は、ネジ１１によって既設縦枠４４の見込み片部４１２に取り付けられている。縦枠５４の既設縦枠４４への取り付け状態では、縦枠５４の装着片部５１３は縦枠５４の見込み方向に沿って延びた状態で先端が既設縦枠４４の室外見付け片部４１１と間隔を隔てて対向して配置される。
ドア枠５は、図１の右側が吊元側とされて丁番１２が取り付けられ、図１の左側が戸先側とされており、丁番１２を介してスチール製の扉体６が開閉可能に取り付けられている。
【００２１】
上枠５１、下枠５２および左右の縦枠５３，５４の装着片部５１３には、隙間塞ぎ材としての目地材２０がそれぞれ装着されている。
目地材２０は、図４に示すように、装着片部５１３に装着される装着基部２１と、軟質樹脂製の止水部２２と、軟質樹脂製のヒレ部２３とを有している。目地材２０は、装着基部２１が止水部２２およびヒレ部２３よりも硬質（半硬質）な硬質樹脂製とされ、装着基部２１と止水部２２およびヒレ部２３との二色成形の押出部品によって形成されている。止水部２２およびヒレ部２３は、弾性を有してゴム状に形成されている。
【００２２】
装着基部２１は、互いに間隔を隔てて対向する第一片部２１１および第二片部２１２と、第一片部２１１および第二片部２１２を連結するベース部２１３とを有し、第一片部２１１、第二片部２１２およびベース部２１３によって枠体装着用の凹溝２１０が形成されている。
第二片部２１２とベース部２１３との連続部分には、可撓性を有する可撓部２１４が形成されている。可撓部２１４は、その凹溝２１０側の部分に窪み部が形成されることで肉薄とされ、装着基部２１の他の部分よりも撓みやすい構成とされている。
【００２３】
止水部２２は、ベース部２１３に連続して圧縮変形可能に筒状に形成されている。
ヒレ部２３は、第一片部２１１から延出しており、第一片部２１１からの延出方向に沿って並んだ切込み２３１が複数形成されている。各切込み２３１が形成された部分では、ヒレ部２３を二点鎖線で示すように容易に折曲可能な構成となっている。
【００２４】
［目地材の装着手順］
以下、第１実施形態に係るドア１における目地材２０の装着手順について説明する。
第１実施形態では、図２，３に示すように上枠５１および左右の縦枠５３，５４に目地材２０を装着する。各枠への装着手順は同様であるので、以下、上枠５１への目地材２０の装着についてのみ説明し、左右の縦枠５３，５４への目地材２０の装着についての説明は省略する。
【００２５】
先ず、図５（Ａ）に示すように、上枠５１の装着片部５１３の上側の面に接着材である両面テープ１３を貼付する。次に、目地材２０の可撓部２１４を撓めて凹溝２１０を開き、第二片部２１２を装着片部５１３の下面に沿って配置する。次に、凹溝２１０を閉じつつ第一片部２１１を両面テープ１３に当てて接着する。
このようにして、目地材２０を上枠５１の装着片部５１３に装着するので、両面テープ１３によって装着片部５１３に接着された目地材２０は、施工時のハンドリング等において目地材が装着片部から脱落したり、温度条件の如何によって伸縮したり、装着基部２１が装着片部５１３から浮き上がって波打つことを抑制できる。
【００２６】
［第１実施形態の効果］
（１）第１実施形態では、目地材２０は、ドア枠５に装着される装着基部２１と、軟質樹脂製の止水部２２と、軟質樹脂製のヒレ部２３とを有し、装着基部２１は、止水部２２およびヒレ部２３よりも硬質な硬質樹脂製によって構成され、装着基部２１は、互いに間隔を隔てて対向する第一片部２１１および第二片部２１２と、第一片部２１１および第二片部２１２を連結するベース部２１３とを有し、第一片部２１１、前記第二片部２１２およびベース部２１３によって枠体装着用の凹溝２１０が形成され、止水部２２は、ベース部２１３に連続して形成され、ヒレ部２３は、第一片部２１１に連続して形成されることを特徴とする。
上記構成を有するため、装着基部２１をドア枠５に装着し、止水部２２を建物躯体２に既設された既設枠４に押し当てて圧縮変形し、かつ、ヒレ部２３を建物躯体２側に押し当てて撓ませることで、新設するドア１と既設枠４および建物躯体２側との間をシールでき、養生期間を必要とせずに施工できる。
また、改修ではなく建物躯体２の開口部３にドア１を新設する場合であっても、高いシール性が要求されない箇所、例えば、清掃などによる水の侵入を抑制できる程度のシール性があればよい箇所に対しては、前述した目地材２０を設置することで、養生期間を必要とせずに速やかに施工できる。
（２）また、軟質樹脂製の止水部２２を既設枠４に押し当てることで、当該止水部２２の圧縮変形可能な範囲でドア枠５と既設枠４との隙間幅の施工誤差に対応できる。さらに、軟質樹脂製のヒレ部２３を建物躯体２側に押し当てることで、ドア枠５と建物躯体２側との隙間幅の施工誤差に対応できる。
（３）装着基部２１の第二片部２１２とベース部２１３との連続部分には、可撓性を有する可撓部２１４が形成される。このため、可撓部２１４を撓めることで、第一片部２１１と第二片部２１２とを離間して凹溝２１０を開くことができ、装着片部５１３に容易に装着できる。例えば、装着片部５１３に接着材として両面テープ１３が設けられている場合には、凹溝２１０を開いて第二片部２１２を装着片部５１３に沿って配置し、続いて、凹溝２１０を閉じながら第一片部２１１を両面テープ１３に接着できる。
（４）ヒレ部２３には、第一片部２１１からの延出方向に沿って並んだ切込み２３１が形成される。このため、切込み２３１が形成された位置でヒレ部２３を簡単に折曲でき、目地材２０が装着されるドア枠５とヒレ部２３を当てる建物躯体２側との隙間幅に対応してシールできる。
また、前記切込み２３１を形成することで、当該切込み２３１が形成された部分においてヒレ部２３を裂くことも可能な構成とされている。
（５）建物躯体２に固定された既設枠４に取り付けられるドア１は、既設枠４に固定されるドア枠５と、ドア枠５内に配置される扉体６と、前述した目地材２０とを備え、ドア枠５は、当該ドア枠５の見込み方向に沿って配置される装着片部５１３を有し、装着片部５１３の先端は、既設枠４の室外面に対して間隔を隔てて対向して配置され、装着片部５１３には、目地材２０の装着基部２１が装着され、目地材２０のヒレ部２３は、装着基部２１の第一片部２１１からドア枠５の見付け方向外側に延出し、止水部２２は既設枠４に当接するとともに、ヒレ部２３は建物躯体２側に当接することを特徴とする。
このため、目地材２０の装着基部２１を装着片部５１３に装着し、止水部２２を既設枠４の室外面に押し当て、かつ、ヒレ部２３を建物躯体２側に押し当てることで、新設するドア１と既設枠４および建物躯体２側との間を、養生期間を必要とせずにシールできる。また、止水部２２を既設枠４の室外面に押し当てることで、装着片部５１３の先端と既設枠４の室外面との隙間幅（ドア枠５の見込み方向における隙間幅）の施工誤差に対応できる。さらに、ドア枠５の見付け方向外側に延出したヒレ部２３を建物躯体２側に押し当てることで、装着片部５１３と建物躯体２側との隙間幅（ドア枠５の見付け方向における隙間幅）の施工誤差に対応できる。
【００２７】
［第２実施形態の構成］
以下、本発明の第２実施形態を図面に基づいて説明する。
図６，７において、第２実施形態に係る建具であるドア１Ａは、建物躯体２の開口部３に固定された既設枠４に取り付けられる改修用の玄関ドアであり、上枠５１Ａと、左右の縦枠５３Ａ，５４Ａと、これらに装着される隙間塞ぎ材としての目地材３０との構成を除いて第１実施形態に係るドア１と同様に構成されている。ドア１Ａの各構成のうちドア１と同様の構成については、図に適宜同符号を付す。なお、図６に示すように、ドア１Ａでは、下枠５２の装着片部５１３に目地材２０が装着されている。
【００２８】
上枠５１Ａは、図６に示すように、溝部５１１Ａが形成された見込み片部５１１および室外見付け片部５１２を有する構成はドア１の上枠５１と同様であるが、装着片部５１３とは異なる形状の装着片部５１３Ａを有している。
装着片部５１３Ａは、室外見付け片部５１２の上端部から室内側に折曲され、かつ、先端部分が上枠５１Ａの見付け方向内側（下側）に折曲されて形成されている。
上枠５１Ａの既設上枠４１への取り付け状態では、上枠５１Ａの装着片部５１３Ａの先端部分は、上枠５１Ａの見付け方向に沿って延びた状態で室内面が既設上枠４１の室外面と間隔を隔てて対向して配置される。
【００２９】
なお、左右の縦枠５３Ａ，５４Ａも上枠５１Ａと同様の断面形状に形成されている。
図７において右側に示す縦枠５３Ａの既設縦枠４３への取り付け状態では、縦枠５３Ａの装着片部５１３Ａの先端部分は縦枠５３Ａの見付け方向に沿って延びた状態で室内面が既設縦枠４３の室外面と間隔を隔てて対向して配置される。
図７において左側に示す縦枠５４Ａは縦枠５４Ａの見付け方向に沿って延びた状態で室内面が既設縦枠４４の室外面と間隔を隔てて対向して配置される。
【００３０】
上枠５１Ａおよび左右の縦枠５３Ａ，５４Ａの装着片部５１３Ａには、目地材３０がそれぞれ装着されている。
目地材３０は、図８に示すように、装着片部５１３Ａに装着される装着基部３１と、軟質樹脂製の止水部３２と、軟質樹脂製のヒレ部３３とを有している。目地材３０は、装着基部３１が止水部３２およびヒレ部３３よりも硬質（半硬質）な硬質樹脂製とされ、装着基部３１と止水部３２およびヒレ部３３との二色成形の押出部品によって形成されている。
【００３１】
装着基部３１は、互いに間隔を隔てて対向する第一片部３１１および第二片部３１２と、第一片部３１１および第二片部３１２を連結するベース部３１３とを有し、第一片部３１１、第二片部３１２およびベース部３１３によって枠体装着用の凹溝３１０が形成されている。ベース部３１３は、本実施形態では断面中空矩形状に形成されている。
第二片部３１２とベース部３１３との連続部分には、可撓性を有する可撓部３１４が係止されている。可撓部３１４は、その凹溝３１０の部分に窪み部が形成されることで肉薄とされ、装着基部３１の他の部分よりも撓みやすい構成とされている。
【００３２】
止水部３２は、圧縮変形可能に筒状に形成されており、ベース部３１３のうち第一片部３１１に沿った部分に連続している。
ヒレ部３３は、第一片部３１１から室内側に延出しており、第一片部３１１からの延出方向に沿って並んだ切込み３３１が複数形成されている。各切込み３３１が形成された部分では、ヒレ部３３を二点鎖線で示すように容易に折曲可能な構成となっている。
【００３３】
［目地材の装着手順］
以下、第２実施形態に係るドア１Ａにおける目地材３０の装着手順について説明する。
第２実施形態では、図６，７に示すように上枠５１Ａおよび左右の縦枠５３Ａ，５４Ａに目地材３０を装着する。各枠への装着手順は同様であるので、以下、上枠５１Ａへの目地材３０の装着についてのみ説明し、左右の縦枠５３Ａ，５４Ａへの目地材３０の装着についての説明は省略する。
【００３４】
先ず、上枠５１Ａの装着片部５１３Ａの上側の面に接着材である両面テープ（図示省略）を貼付する。次に、目地材３０の可撓部３１４を撓めて凹溝３１０を開き、第二片部３１２を装着片部５１３Ａの下面に沿って配置する。次に、凹溝３１０を閉じつつ第一片部３１１を両面テープに当てて接着する。
このようにして、目地材３０を上枠５１Ａの装着片部５１３Ａに装着するので、両面テープによって装着片部５１３Ａに接着された目地材３０は、施工時のハンドリング等において目地材３０が装着片部５１３Ａから脱落したり、温度条件の如何によって伸縮したり、装着基部２１が装着片部５１３Ａから浮き上がって波打つことを抑制できる。
【００３５】
［第２実施形態の効果］
（１）第２実施形態に係るドア１Ａは、前述したドア１と同様の効果を発揮できる。
（２）また、上枠５１Ａおよび左右の縦枠５３Ａ，５４Ａが各枠の見付け方向に沿って配置される装着片部５１３Ａを有し、装着片部５１３Ａには、目地材３０の装着基部３１が装着され、止水部３２は、ベース部３１３のうち装着基部３１の第一片部３１１に沿った部分に連続して形成され、ヒレ部３３は第一片部３１１から室内側に延出し、止水部３２は既設枠４に当接するとともに、ヒレ部３３は建物躯体２側に当接する。
このため、目地材３０の装着基部３１を装着片部５１３Ａに装着し、止水部３２を既設枠４の室外面に押し当て、かつ、ヒレ部３３を建物躯体２側に押し当てることで、新設するドア１Ａと既設枠４および建物躯体２側との間を、養生期間を必要とせずにシールできる。また、止水部３２を既設枠４の室外面に押し当てることで、装着片部５１３Ａの先端部分の室内面と既設枠４の室外面との隙間幅（ドア枠５の見込み方向における隙間幅）の施工誤差に対応できる。さらに、第一片部３１１から室内側に延出したヒレ部３３を建物躯体２側に押し当てることで、装着片部５１３Ａと建物躯体２側との隙間幅（ドア枠５の見込み方向における隙間幅）の施工誤差に対応できる。
【００３６】
［変形例］
本発明は、以上の実施形態で説明した構成のものに限定されず、本発明の目的を達成できる範囲での変形例は、本発明に含まれる。
例えば、第１実施形態では、可撓部２１４は、第二片部２１２とベース部２１３との連続部分に形成されているが、これに限られず、例えば、第一片部２１１とベース部２１３との連続部分に形成されていてもよい。第２実施形態では、可撓部３１４は、第二片部３１２とベース部３１３との連続部分に形成されているが、これに限られず、例えば、第一片部３１１とベース部３１３との連続部分に形成されていてもよい。
また、装着基部２１，３１から可撓部２１４，３１４の構成を省略してもよい。
【００３７】
第１，２実施形態では、止水部２２，３２は筒状に形成されているが、これに限られず、例えばヒレ状等に形成されていてもよい。
【００３８】
第１，２実施形態では、ヒレ部２３，３３に切込み２３１，３３１が形成されているが、切込み２３１，３３１の構成を省略してもよい。
【符号の説明】
【００３９】
１，１Ａ…ドア（建具）、１０…気密材、１１…ネジ、１２…丁番、１３…両面テープ（接着材）、２…建物躯体、２０，３０…目地材（隙間塞ぎ材）、２１，３１…装着基部、２１０，３１０…凹溝、２１１，３１１…第一片部、２１２，３１２…第二片部、２１３，３１３…ベース部、２１４，３１４…可撓部、２２，３２…止水部、２３，３３…ヒレ部、２３１，３３１…切込み、３…開口部、４…既設枠、４１…既設上枠、４１１，５１２…室外見付け片部、４１２，５１１…見込み片部、４１３…室内見付け片部、４１４，４１５…折曲片部、４１６…取付部材、４１７…シール材、４２…既設下枠、４３…既設縦枠、４４…既設縦枠、５…ドア枠（枠体）、５１，５１Ａ…上枠、５１１Ａ…溝部、５１３，５１３Ａ…装着片部、５２…下枠、５３，５３Ａ…縦枠、５４，５４Ａ…縦枠、６…扉体。
【図１】
0006690997.tif 000002
【図２】
0006690997.tif 000003
【図３】
0006690997.tif 000004
【図４】
0006690997.tif 000005
【図５】
0006690997.tif 000006
【図６】
0006690997.tif 000007
【図７】
0006690997.tif 000008
【図８】
0006690997.tif 000009